(57)【要約】【課題】土鍋使用時の冷却性能を向上させることができる誘導加熱調理器を提供することを目的とする。【解決手段】制御手段６が被加熱物の加熱終了後、冷却ファン８を延長稼動させる土鍋対応冷却モードを有しているものである。これによって、被加熱物の加熱終了後、冷却ファン８を延長稼動させ、土鍋使用時の冷却性能を向上させることができる。また、土鍋対応冷却モードを有することで、土鍋使用時の熱伝導が悪いことによる加熱コイル３ａ、３ｂの温度上昇などの問題に特化した対応が可能となるため、土鍋使用時に冷却ファン８の回転数を上げたり稼動時間を延長したりしても他の被加熱物による加熱時は騒音を抑えた設定で対応することができる。【選択図】図１
2006344452.tif 000002
【特許請求の範囲】
【請求項１】
外郭を構成する本体と、被加熱物を設置するプレートと、被加熱物を誘導加熱する加熱コイルと、被加熱物の温度を検知する温度検知素子と、前記加熱コイルを含む内部部材を冷却する冷却ファンと、前記加熱コイルおよび冷却ファンを制御する制御手段とを備え、制御手段は、被加熱物の加熱終了後、冷却ファンを延長稼動させる土鍋対応冷却モードを有する誘導加熱調理器。
【請求項２】
土鍋対応冷却モードは、被加熱物の加熱時に選択手段により選択するようにした請求項１に記載の誘導加熱調理器。
【請求項３】
土鍋対応冷却モードは、被加熱物の加熱により自動検知するようにした請求項１に記載の誘導加熱調理器。
【請求項４】
冷却ファンの延長稼動は、予め定めた一定時間とした請求項１〜３のいずれか１項に記載の誘導加熱調理器。
【請求項５】
冷却ファンの延長稼動は、予め設定した温度に達するまでとした請求項１〜３のいずれか１項に記載の誘導加熱調理器。
【請求項６】
冷却ファンの延長稼動中はこれを表示させるようにした請求項１〜５のいずれか１項に記載の誘導加熱調理器。
【請求項７】
土鍋であることを自動検知した時点で冷却ファンの回転数を増加させるようにした請求項３に記載の誘導加熱調理器。
【発明の詳細な説明】
【技術分野】
【０００１】
本発明は、土鍋が使用できる誘導加熱調理器に関するものである。
【背景技術】
【０００２】
従来、この種の誘導加熱調理器としては、すでに知られている（例えば、特許文献１参照）。
【０００３】
これは、システムキッチンのキャビネットに組み込んで使用する構成のものであり、誘導加熱手段と、誘導加熱手段の出力を設定する入力手段と、誘導加熱手段を冷却する冷却ファンと、入力手段からの入力に応じて冷却ファンの回転数を変化させる冷却ファン回転数制御手段と、誘導加熱手段を動作させる制御手段とを備え、制御手段は入力手段からの信号に応じて誘導加熱手段の出力を低下させる出力低下タイミングと冷却ファンの回転数を低下させる回転数低下タイミングに遅延時間を設けたものとなっている。このため、金属製の鍋やフライパンでは騒音を低下しながら冷却ファンの回転数を必要最低限に抑えて、発熱部品の冷却を十分維持することができる。
【特許文献１】特開２００４−２２０９５９号公報
【発明の開示】
【発明が解決しようとする課題】
【０００４】
しかしながら、前記従来の構成では、２００Ｖの誘導加熱調理器では、土鍋の使用時には加熱コイル温度が上昇するために、土鍋そのものを使用禁止にしている。これは、土鍋が熱伝導率の低い土鍋生地の裏面に銀などを主成分とする薄膜からなる発熱体を設けた構成であるため、発熱体の温度が金属の鍋やフライパン使用時より高温となることがあり、特に、一旦上昇すると冷え難いことから十分な冷却性能の確保ができないことによる。また、冷却性能を確保するために冷却ファンの回転を上げると、騒音が大きくなるという問題が発生する。
【０００５】
本発明は、前記従来の課題を解決するもので、土鍋使用時の冷却性能を向上させることができる誘導加熱調理器を提供することを目的とする。
【課題を解決するための手段】
【０００６】
前記従来の課題を解決するために、本発明の誘導加熱調理器は、制御手段が被加熱物の加熱終了後、冷却ファンを延長稼動させる土鍋対応冷却モードを有しているものである。
【０００７】
これによって、被加熱物の加熱終了後、冷却ファンを延長稼動させ、土鍋使用時の冷却性能を向上させることができる。また、土鍋対応冷却モードを有することで、土鍋使用時の熱伝導が悪いことによる加熱コイルの温度上昇などの問題に特化した対応が可能となるため、土鍋使用時に冷却ファンの回転数を上げたり稼動時間を延長したりしても他の被加熱物による加熱時は騒音を抑えた設定で対応することができる。
【発明の効果】
【０００８】
本発明の誘導加熱調理器は、土鍋使用時の冷却性能を向上させることができる。
【発明を実施するための最良の形態】
【０００９】
第１の発明は、外郭を構成する本体と、被加熱物を設置するプレートと、被加熱物を誘導加熱する加熱コイルと、被加熱物の温度を検知する温度検知素子と、前記加熱コイルを含む内部部材を冷却する冷却ファンと、前記加熱コイルおよび冷却ファンを制御する制御手段とを備え、制御手段は、被加熱物の加熱終了後、冷却ファンを延長稼動させる土鍋対応冷却モードを有する誘導加熱調理器とすることにより、被加熱物の加熱終了後、冷却ファンを延長稼動させ、土鍋使用時の冷却性能を向上させることができる。また、土鍋対応冷却モードを有することで、土鍋使用時の熱伝導が悪いことによる加熱コイルの温度上昇などの問題に特化した対応が可能となるため、土鍋使用時に冷却ファンの回転数を上げたり稼動時間を延長したりしても他の被加熱物による加熱時は騒音を抑えた設定で対応することができる。
【００１０】
第２の発明は、特に、第１の発明において、土鍋対応冷却モードは、被加熱物の加熱時に選択手段により選択するようにしたことにより、選択手段により土鍋対応冷却モードが任意に選択でき、加熱終了後も冷却ファンを延長稼動させ、土鍋使用時の冷却性能を向上させることができる。
【００１１】
第３の発明は、特に、第１または第２の発明において、土鍋対応冷却モードは、被加熱物の加熱により自動検知するようにしたことにより、土鍋使用時には自動的に土鍋対応冷却モードに入り、加熱終了後も冷却ファンを延長稼動させ、土鍋使用時の冷却性能を向上させることができる。
【００１２】
第４の発明は、特に、第１〜第３のいずれか１つの発明において、冷却ファンの延長稼動は、予め定めた一定時間としたことにより、効果的に土鍋使用時の冷却性能を向上させることができる。
【００１３】
第５の発明は、特に、第１〜第３のいずれか１つの発明において、冷却ファンの延長稼動は、予め設定した温度に達するまでとしたことにより、第４の発明と同様、効果的に土鍋使用時の冷却性能を向上させることができる。
【００１４】
第６の発明は、特に、第１〜第５のいずれか１つの発明において、冷却ファンの延長稼動中はこれを表示させるようにしたことにより、騒音の発生原因を使用者に明確に知らせることで、安心使用ができる。
【００１５】
第７の発明は、特に、第３の発明において、土鍋であることを自動検知した時点で冷却ファンの回転数を増加させるようにしたことにより、土鍋使用時の冷却性能をさらに向上でき、土鍋を用いることを可能にすることができる。
【００１６】
以下、本発明の実施の形態について、図面を参照しながら説明する。なお、この実施の形態によって本発明が限定されるものではない。
【００１７】
（実施の形態１）
図１は、本発明の実施の形態１における誘導加熱調理器を示している。この誘導加熱調理器はシステムキッチンのキャビネットに組み込んで使用する構成のものである。
【００１８】
図に示すように、本実施の形態における誘導加熱調理器は、外郭を構成する本体１と、鍋、フライパンなどの被加熱物を設置するプレート２と、プレート２の下方に配し被加熱物を誘導加熱する加熱コイル３ａ、３ｂおよび加熱コイル３ａ、３ｂの中央奥に位置する１口のラジェントヒータ４と、加熱コイル３ａ、３ｂの中央に位置しプレート２を介して被加熱物の温度を検知するサーミスタよりなる温度検知素子５ａ、５ｂと、前記加熱コイル３ａ、３ｂを含む内部部材を冷却するシロッコファンよりなる冷却ファン８と、前記加熱コイル３ａ、３ｂ、ラジェントヒータ４および冷却ファン８を制御する制御手段６とを備えている。そして、制御手段６は、被加熱物の加熱終了後、冷却ファン８を延長稼動させる土鍋対応冷却モードを有している。
【００１９】
また、本体１の上面右後方に吸気開口部７ａを配し、上面左後方に排気開口部７ｂを設けている。さらに、本体１の前方側面には、加熱状態を表す表示部９と、加熱コイル３ａ、３ｂおよびラジェントヒータ４を動作させる操作部１０を設けている。この実施の形態では、操作部１０に、被加熱物として土鍋を使用しこれを加熱することを使用者が選択する選択手段（選択キー）１１を設けている。選択手段１１が操作されると、制御手段６の土鍋対応冷却モードが選択されるものである。
【００２０】
前記加熱コイル３ａは、出力定格が３ｋＷ（最大設定３ｋＷ）、加熱コイル３ｂは、出力定格が２ｋＷ（最大設定２ｋＷ）としている。また、制御手段６である制御回路部は、樹脂製のベースに固定されていて、本体１内の一側部に配置され、加熱コイル３ａ、３ｂと同様、冷却ファン８の冷却風により冷却されるようになっている。
【００２１】
次に、冷却ファン８の冷却風の流れ、および冷却ファン８の動作について説明する。
【００２２】
まず、被加熱物としてステンレスや鉄製などの熱伝導率が高い、例えば、熱伝導率が１００℃時に１６Ｗ／ｍ・Ｋ以上の金属製鍋を加熱する場合は、加熱開始で冷却ファン８が稼動し、プレート２の後方に設けられた吸気開口部７ａから外気が入り、冷却ファン８から吐出した空気は、制御手段６に向けて吹き付け、特に、その制御回路部にあるスイッチング素子やダイオードブリッジを冷却する構成をとっている。
【００２３】
その後、制御手段６上方の加熱コイル３ｂから加熱コイル３ａへ冷却風が流れ、最後に排気開口部７ｂより本体１外へ出て行く冷却風経路を形成して、加熱終了で冷却ファン８は止まるようになっている。
【００２４】
一方、被加熱物として熱伝導率の低い、例えば、熱伝導率が２０〜１００℃時に１〜３Ｗ／ｍ・Ｋの粘土を焼き固めたものやセラミックなどの熱伝導率の低い土鍋を加熱する場合、鍋裏面底部に銀を主成分とする１０〜１００μｍ程度の薄膜により形成された発熱体を有するが、土鍋内に水を入れ加熱した場合でも裏面温度は水温に比べて遥かに高温度となり、加熱終了後も裏面の温度低下は遅くなる。
【００２５】
そこで、被加熱物として土鍋の加熱中は、冷却ファン８の回転数は最大で回転させ、さらに加熱終了後も最大回転数で延長して稼動させ、土鍋の裏面からの輻射や伝導熱によるプレート２の温度およびプレート２下の加熱コイル３ａ、３ｂの温度などを抑えて、土鍋の使用を可能としている。
【００２６】
冷却ファン８の延長の方法としては、加熱コイル３ａ、３ｂの温度が予め設定した温度１８０℃以下程度に低下するまで、延長冷却するのが望ましいが、加熱コイル３ａ、３ｂの温度と冷却時間との相関をとった上で、予め定めた一定時間を決めて延長することでもよい。なお、５〜１５分間の延長でほぼ１８０℃以下とすることができる。
【００２７】
また、本実施の形態では、土鍋の使用時には使用者が選択手段１１を操作することで、被加熱物の加熱終了後、冷却ファン８を延長稼動させる土鍋対応冷却モードを選択するものであり、土鍋使用時の熱伝導が悪いことによる加熱コイル３ａ、３ｂの温度上昇などの問題に特化した個別対応が可能となる。このため、土鍋使用時に冷却ファン８の回転数を上げたり、稼動時間を延長したりしても他の被加熱物による加熱時は騒音を抑えた設定で対応することができる。
【００２８】
また、冷却中であることを表示部９に表示することで、騒音の発生原因を使用者に明確に知らせることができ、不安にさせることを防止できる。特に文字にて「冷却中」と液晶表示するとわかりやすい。
【００２９】
（実施の形態２）
次に、本発明の実施の形態２における誘導加熱調理器について説明する。基本構成は実施の形態１と同一であるので、その説明を省略する。
【００３０】
本実施の形態では、実施の形態１のように選択手段１１を設けず、土鍋使用時に使用者が選択するのではなく、入力電流を測定して入力電力（以下、鍋入力とする。）と土鍋の温度とから土鍋であることを自動検知するようにしたものである。これにより、土鍋使用時には自動的に土鍋対応冷却モードに入り、加熱終了後も冷却ファン８を延長稼動させ、土鍋使用時の冷却性能を向上させることができる。その他は実施の形態１と同様である。
【００３１】
すなわち、ステンレスや鉄製の金属製鍋に水を入れた状態で加熱した場合は、図２に示したような鍋入力と発熱体の温度との関係になり、土鍋に水を入れた状態で加熱した場合は、図３に示したような鍋入力と鍋裏面温度との関係になる。これは、金属製鍋では水により発熱体が冷却されているので、鍋入力が多くなって発熱体の温度が１００℃より少し高いレベルとなるが、土鍋では鍋入力が多くなって発熱体の温度が１００℃を遥かに越える高いレベルとなることからである。
【００３２】
つまり、鍋入力が多い場合、例えば、鍋入力が１５００Ｗ以上である場合は、土鍋の湯沸し中は発熱体の温度が２００℃以上となる。一方、金属製鍋では１５０℃以下となる。このため、鍋入力が１５００Ｗ以上である時に発熱体の温度が２００℃以上で略一定の値で水位した場合は土鍋の湯沸し中であると判別する制御を行い、土鍋の湯沸し中であるという判別時の検知後には加熱終了時点で冷却ファン８を延長稼動させて、加熱コイル３ａ、３ｂの温度を低減している。
【００３３】
仮に、本体１の入力設定が２ｋＷであっても実際の鍋入力は２ｋＷより低くなることもあるため、入力電電流を測定し、１５００Ｗ以上であれば上述のように検知を行えば冷却性能向上に有効である。鍋入力が１５００Ｗ未満であれば、土鍋の発熱体の温度も低く抑えられるため、土鍋検知し、冷却する必要性が低くなる。このことにより、金属製鍋か土鍋かを自動判別するようにしている。
【００３４】
さらに、土鍋であることを検知した時点で冷却ファン８の回転数を増加させることで、土鍋使用時の冷却性能を向上でき、土鍋をより安心して用いることを可能にすることができる。
【００３５】
なお、金属製鍋および土鍋の空焼き時であれば、図５および図６に示したように、温度検知素子５ａ、５ｂの検知温度により鍋入力が制御されるため、鍋入力が一定とならないし、発熱体の温度も一定とならないことから、土鍋の湯沸し中とは区別される。
【産業上の利用可能性】
【００３６】
以上のように、本発明にかかる誘導加熱調理器は、土鍋を使用して加熱できるように冷却性能を向上させることができるので、ビルトイン型および卓上、据え置き型の誘導加熱調理器の用途に適用できる。
【図面の簡単な説明】
【００３７】
【図１】本発明の実施の形態１における誘導加熱調理器を示す分解斜視図
【図２】本発明の実施の形態２における誘導加熱調理器による金属製容器の湯沸し時の特性図
【図３】同誘導加熱調理器による土鍋の湯沸し時の特性図
【図４】同誘導加熱調理器による金属製鍋の空焼き時の特性図
【図５】同誘導加熱調理器による土鍋の空焼き時の特性図
【符号の説明】
【００３８】
１  本体
２  プレート
３ａ、３ｂ  加熱コイル
５ａ、５ｂ  温度検知素子
６  制御手段
８  冷却ファン
１１  選択手段
【図１】
2006344452.tif 000003
【図２】
2006344452.tif 000004
【図３】
2006344452.tif 000005
【図４】
2006344452.tif 000006
【図５】
2006344452.tif 000007